(57)【要約】【課題】スラリーのフィルタープレスの運転方法において、脱水完了後、ろ板を開く前に、スラリー供給路の残留スラリーを確実に除去することにより、ろ板を開く時のスラリーの垂れ落ちや飛散を防止し、周辺の環境悪化や後面設備でのトラブルを減少させるとともに、脱水ケーキの品質を確保することができるフィルタープレスの運転方法を提供する。【解決手段】スラリー供給路６を有する複数のろ板４にろ布７を張設し、隣接するろ板４どうしを閉めてろ室５を形成し、系外からスラリー供給路６を経てろ室５にスラリーを圧入してろ布７で固液分離して脱水ケーキ１３を生成した後、スラリー供給路６を圧縮エアーによりエアーブローした後、ろ板４を開いて脱水ケーキ１３を排出するフィルタープレスの運転方法において、前記エアーブローの後に、さらにスラリー供給路６に水を充満させた後に充満させた水を圧縮エアーのエアーブローにて系外に排出した後にろ板４を開いて脱水ケーキ１３を排出する。【選択図】図２
2005218917.tif 000002
【特許請求の範囲】
【請求項１】
スラリー供給路を有する複数のろ板にろ布を張設し、隣接するろ板どうしを閉めて、ろ室を形成し、系外からスラリー供給路を経てろ室にスラリーを圧入してろ布で固液分離して脱水ケーキを生成し、次いでスラリー供給路を圧縮エアーによりエアーブローした後、各ろ板を開いて脱水ケーキを排出するフィルタープレスの運転方法において、
前記エアーブローした後に、さらにスラリー供給路に水を充満させた後に充満させた水を圧縮エアーのエアーブローにて系外に排出した後に各ろ板を開いて脱水ケーキを排出することを特徴とするフィルタープレスの運転方法。
【請求項２】
圧縮エアーの流速を１０ｍ／ｓｅｃ以上でエアーブローしてスラリー供給路に充満させた水を排出することを特徴とする請求項１記載のフィルタープレスの運転方法。
【請求項３】
スラリー供給路に水を充満させた後、一定の時間保持し、その後、充満させた水を圧縮エアーでエアーブローして系外に排出することを特徴とする請求項１または２記載のフィルタープレスの運転方法。
【発明の詳細な説明】
【技術分野】
【０００１】
本発明は、液体中に固形物を含有したスラリーから固形物を分離するフィルタープレスに関し、特にフィルタープレス後に生成された脱水ケーキの排出の際に、液の垂れ落ちや飛散を防止することができるフィルタープレスの運転方法に関する。
【背景技術】
【０００２】
河川や池等から浚渫・掘削された液状の汚泥など液体中に固形物を含有したスラリーを脱水して液と固形物を分離させるのにフィルタープレスが利用されている（特許文献１参照）。
【０００３】
図４は従来のフィルタープレスの一例を示す概略全体図、図５は図４のフィルタープレスの要部を示す概略断面図、図６は従来のフィルタープレスによるスラリーの脱水手順を示す図である。
【０００４】
図４、図５において、油圧シリンダー１で前進・後退する前フレーム２と後フレーム３の間に複数のろ板４が移動可能に配置される。ろ板４には液を抜くための複数の孔（図示せず）が設けられるとともに、凹面が形成され、ろ板４を前フレーム２と後フレーム３の間で押し付けて隣り合うろ板４の対向する凹面によりろ室５が形成される。ろ室５どうしは、ろ板４の中央に形成された開口によりスラリーが供給されるスラリー供給路６で連通しており、ろ室５及びスラリー供給路６の表面はろ布７で覆われる。スラリーはスラリー供給配管８からスラリー供給路６を通ってろ室５に圧入・充填される。
【０００５】
後フレーム３にはスラリー供給路６にスラリーを供給するスラリー供給配管８と、脱水後にエアーブローしたエアーを抜くエアー抜き配管９が設けられ、前フレーム２にはスラリー供給路６をエアーブローするためのエアーブロー配管１０が設けられ、ブローするエアーはコンプレッサー１１、レシーバタンク１２により供給される。スラリー供給配管８、エアー抜き配管９、エアーブロー配管１０にはそれぞれ開閉弁８ａ，９ａ，１０ａが設けられている。
【０００６】
スラリーの脱水の手順は、上記構成において、油圧シリンダー１の駆動により前フレーム２を前進させてろ板４を閉じて前フレーム２と後フレーム３の間でろ板４の対向する凹面によりろ室５を形成する。
【０００７】
その後、エアー抜き配管９の開閉弁９ａ、エアーブロー配管１０の開閉弁１０ａをそれぞれ閉にし、スラリー供給配管８の開閉弁８ａを開にして、スラリー供給配管８からスラリー供給路６を経てろ室５にスラリーをポンプＰにより圧入する。スラリーの圧入により、ろ布７を通してスラリー中の液をろ板４の表面にろ過するとともに、ろ布７に固形物を捕集する。ろ室内に捕集された固形物が充満して脱水ケーキ１３が形成された時点でスラリーの供給を停止する（図６（ａ）参照）。
【０００８】
脱水が完了すると、スラリー供給配管８の開閉弁８ａを閉にし、エアー抜き配管９の開閉弁９ａ、エアーブロー配管１０の開閉弁１０ａをそれぞれ開にした後、ろ板４を開く時にスラリーが垂れ落ちたり飛散したりするのを防止するため、エアーブロー配管９からスラリー供給路６にエアーをブローしてスラリー供給路６に残っている残留スラリー１４を吹き飛ばして清掃する（図６（ｂ）参照）。
【０００９】
エアーブロー後、油圧シリンダー１を駆動させて前フレーム２を後退させ、ろ板４を開いて、ろ室５から脱水ケーキ１３を取り出す（図６（ｃ）参照）。
【特許文献１】特開平５−１５７０８号公報
【発明の開示】
【発明が解決しようとする課題】
【００１０】
前述の従来のフィルタープレスでは、脱水終了後にろ板を開く前に、スラリー供給路に残留しているスラリーを除去するためにエアーブローしているが、エアーブローのみでは残留スラリーの除去が十分ではなく、そのため、スラリーの一部がろ板のスラリー供給路に残留した状態のままでろ板を開いているので、ろ板を開く時に残留スラリーが垂れ落ちたり飛散したりしている。その結果、フィルタープレス周辺の設備のトラブル、例えば寒冷地におけるコンベアの凍結によるモーターのトリップ、あるいは作業環境の悪化を引き起こしている。また、脱水ケーキにスラリーが付着して品質を低下させて脱水ケーキの見かけ比重が低下して品質の低下を招いている。
【００１１】
そこで、本発明は、スラリーのフィルタープレスの運転方法において、脱水完了後、ろ板を開く前に、スラリー供給路の残留スラリーを確実に除去することにより、ろ板を開く時のスラリーの垂れ落ちや飛散を防止し、周辺の環境悪化や後面設備でのトラブルを減少させるとともに、脱水ケーキの品質を確保することができるフィルタープレスの運転方法を提供するものである。
【課題を解決するための手段】
【００１２】
本発明は、スラリー供給路を有する複数のろ板にろ布を張設し、隣接するろ板どうしを閉めてろ室を形成し、系外からスラリー供給路を経てろ室にスラリーを圧入してろ布で固液分離して脱水ケーキを生成し、次いでスラリー供給路を圧縮エアーによりエアーブローした後、各ろ板を開いて脱水ケーキを排出するフィルタープレスの運転方法において、
前記エアーブローした後に、さらにスラリー供給路に水を充満させた後に充満させた水を圧縮エアーのエアーブローにて系外に排出した後に各ろ板を開いて脱水ケーキを排出することを特徴とする。
【発明の効果】
【００１３】
本発明では、スラリー供給路のエアーブローでできた空間に水を充満させることで、残留スラリーを希釈し、再度エアーブローすることにより、残留スラリーを除去するので、ろ板を開いて脱水ケーキを取り出すときに、スラリーの垂れ落ちや飛散を防止することができる。その結果、作業環境を改善することができるとともに、後面設備のトラブルを減少、脱水ケーキの品質を確保することができる。
【発明を実施するための最良の形態】
【００１４】
図１は本発明の運転方法を実施するためのフィルタープレスの概略全体図である。
【００１５】
図１に示すフィルタープレスは、図４、図５及び図６に示す従来のフィルタープレスとは、スラリー供給路６をエアーブローするためのエアーブロー配管１０にスラリー供給路に給水するための給水配管が接続されている点を除いて実質的に同じであり、共通部分には共通符号を付している。
【００１６】
すなわち、図１において、前進・後退する前フレーム２と後フレーム３の間に複数のろ板４が移動可能に配置され、ろ板４を前フレーム２と後フレーム３の間で押し付けて隣り合うろ板４の凹面によりろ室５が形成される。ろ室５どうしは、ろ板４に設けられたスラリーが供給されるスラリー供給路６で連通しており、ろ室５及び通路６の表面はろ布７で覆われる。スラリーは、スラリー供給配管８からスラリー供給路６を通してろ室５に圧入される。
【００１７】
後フレーム３にはスラリー供給路６にスラリーを供給するスラリー供給配管８と、脱水後にエアーブローしたエアーを抜くエアー抜き配管９が設けられ、前フレーム２には通路６をエアーブローするためのエアーブロー配管１０が設けられ、ブローするエアーはコンプレッサー１１、レシーバタンク１２により供給される。スラリー供給配管８、エアー抜き配管９、エアーブロー配管１０にはそれぞれ開閉弁８ａ，９ａ，１０ａがそれぞれ設けられている。以上の構成は従来のフィルタープレスと共通している。
【００１８】
本発明においては、さらに、エアーブロー配管１０に給水配管１５を接続し、ポンプＰによりスラリー供給路６に給水できるように構成されている。給水配管１５には開閉弁１５ａが設けられている。
【００１９】
本発明によるフィルタープレスの運転方法によるスラリーの脱水手順を図２で説明する。
【００２０】
油圧シリンダー１により前フレーム２を前進させて前フレーム２と後フレームの間にろ板４を押し付けて、各ろ板４の対向する凹面によりろ室５を形成する。
【００２１】
ろ室５を形成した後、エアー抜き配管９の開閉弁９ａ、エアーブロー配管１０の開閉弁１０ａ、給水配管１５の開閉弁１５ａをそれぞれ閉にし、スラリー供給配管８の開閉弁８ａを開にして、スラリー供給配管８からスラリー供給路６を経てろ室５にスラリーをポンプＰにより圧入する。
【００２２】
スラリーの圧入により、ろ布７を介してスラリー中の液をろ板４の表面にろ過するとともに、ろ布７に固形物を捕集してろ室内に脱水ケーキ１３が充満した時点でスラリーの供給を停止する（図２（ａ）参照）。
【００２３】
脱水が完了すると、ろ板４の開枠時のスラリーのたれ落ちや飛散を防止するため、エアーブロー配管９からスラリー供給路６にエアーをブローしてスラリー供給路６に残っている残留スラリー１４を吹き飛ばして清掃する（図２（ｂ）参照）。
【００２４】
以上のろ室の形成からエアーブローまでの手順は図６に示す従来のフィルタープレスの手順と同じである。しかしながら、本発明では、スラリー供給路に残留するスラリーを確実に除去するために次の操作を行う。
【００２５】
すなわち、エアーブロー後に、給水配管１５の開閉弁１５ａを開にしてポンプＰによりスラリー供給路６に給水して水を充満させることにより残留スラリーを希釈する（図２（ｃ）参照）。
【００２６】
水を充満させた後、エアーブロー配管１０の開閉弁１０ａを開にしてエアーブローを行ってスラリー供給路６の水と残留スラリーを除去する（図２（ｄ）参照）。なお、スラリー供給路に水を充満させた後、一定の時間保持して脱水スラリー１３上の残留スラリーの固形分を含垂させて柔らかくした後、充満させた水を圧縮エアーでエアーブローして系外に排出してもよい。
【００２７】
図３は充満した水をエアーブローした際のエアー流量とスラリー残留量との関係を示すグラフである。圧縮エアーの流量を増やすにしたがってスラリー残留量は減少するが、エアー流量が１０ｍ／ｓに近づくにつれて急激にスラリー残留量が減少し、１０ｍ／ｓ以上になるとエアーブロー前の２０％以下となり、残留しているスラリーは液含有量の少ない固形物となっているので、ろ板４を開枠しても垂れ落ちたり飛散することなかった。
【００２８】
こうして残留スラリーをエアーブローで除去した後、従来の手順と同様に油圧シリンダー１を駆動させて前フレーム２を後退させ、ろ板４を開いて、ろ室５から脱水ケーキ１１を取り出す（図２（ｅ）参照）。  
【図面の簡単な説明】
【００２９】
【図１】本発明の運転方法を実施するためのフィルタープレスの概略全体図である。
【図２】本発明の運転方法によるスラリーの脱水手順を示す図である。
【図３】充填した水をエアーブローした際のエアー流量とスラリー残留量との関係を示すグラフである。
【図４】従来のフィルタープレスの一例を示す概略全体図である。
【図５】図４のフィルタープレスの要部を示す概略断面図である。
【図６】従来のフィルタープレスによるスラリーの脱水手順を示す図である。
【符号の説明】
【００３０】
１：油圧シリンダー
２：前フレーム
３：後フレーム
４：ろ板
５：ろ室
６：スラリー供給路
７：ろ布
８：スラリー供給配管
９：エアー抜き配管
１０：エアーブロー配管
１１：コンプレッサー
１２：レシーバタンク
１３：脱水ケーキ
１４：残留スラリー
【図１】
2005218917.tif 000003
【図２】
2005218917.tif 000004
【図３】
2005218917.tif 000005
【図４】
2005218917.tif 000006
【図５】
2005218917.tif 000007
【図６】
2005218917.tif 000008